【手続補正書】
【提出日】平成23年11月11日(2011.11.11)
【手続補正１】
【補正対象書類名】特許請求の範囲
【補正対象項目名】全文
【補正方法】変更
【補正の内容】
【特許請求の範囲】
【請求項１】
磁気共鳴装置の送信アレイ（４）のコイル（６）及びグラジエントマグネットシステム（３）用の制御方法において、
磁気共鳴装置の制御装置（７）により、送信アレイ（４）のコイル（６）及びグラジエントマグネットシステム（３）を、各々の励起コイル（Ｐ’）に応じて制御し、
前記送信アレイ（４）の前記コイル（６）及びグラジエントマグネットシステム（３）の制御に基づいて、各々の前記励起パルス（Ｐ’）に応じて、前記磁気共鳴装置の励起容積部（２）内に、不均一性の第１の実際値（Ｉ２）を有する磁場を形成し、
前記制御装置（７）により、各々の前記励起パルス（Ｐ’）を、各々のスタートパルス（Ｐ）及び前記磁気共鳴装置の前記励起容積部（２）内の不均一性の最大許容値（Ｉ＊）を用いて求め、
前記各々のスタートパルス（Ｐ）は、全時間期間（Ｔ’）を有しており、前記制御装置（７）により、前記送信アレイ（４）のコイル（６）及び前記グラジエントマグネットシステム（３）を、各々の前記スタートパルス（Ｐ）に応じて制御し、前記磁気共鳴装置の前記励起容積部（２）内に、前記不均一性の最大許容値（Ｉ＊）よりも小さな不均一性の第２の実際値（Ｉ１）を有する磁場を形成し、
前記制御装置（７）により、各々の前記スタートパルス（Ｐ）の中間位置（Ｚ）を求め、前記中間位置（Ｚ）を求めることにより、各々の前記スタートパルス（Ｐ）を、各々の第１のパルス部分（Ｐ１）及び該第１のパルス部分に対して相補的な各々の第２のパルス部分（Ｐ２）に分割し、
各々の前記第１のパルス部分（Ｐ１）を、各々の前記スタートパルス（Ｐ）の各々の低エネルギ部分に対応させ、及び、各々の前記第２のパルス部分（Ｐ２）を、各々の前記スタートパルス（Ｐ）の各々の高エネルギ部分に対応させ、
前記制御装置（７）により、各々の前記第２のパルス部分（Ｐ２）を、時間的に伸張し、当該伸張に対応して振幅（Ａ）を圧縮し、
各々の時間的に伸張し、且つ、前記振幅（Ａ）を圧縮した前記第２のパルス部分（Ｐ２）を、各々の前記励起パルス（Ｐ’）に対応させ、
前記制御装置（７）により、前記不均一性の第１の実際値（Ｉ２）が、前記不均一性の最大許容値（Ｉ＊）よりも小さくなるように前記中間位置（Ｚ）を決める
ことを特徴とする制御方法。
【請求項２】
制御装置（７）により、各々の第２のパルス部分（Ｐ２）を時間的に非直線状に伸張する請求項１記載の制御方法。
【請求項３】
制御装置（７）により、各々の第２のパルス部分（Ｐ２）を、各々の第２のパルス部分（Ｐ２）のエネルギが大きければ大きい程、局所的に時間的に強く伸張する請求項２記載の制御方法。
【請求項４】
制御装置（７）により、各々の第２のパルス部分（Ｐ２）を時間的に全時間期間（Ｔ’）で伸張する請求項１〜３迄の何れか１記載の制御方法。
【請求項５】
スタートパルス（Ｐ）の全体を、周波数空間内で、２次元又は３次元の螺旋軌道（スパイラルトラジェクトリー）と一致させる請求項１から４迄の何れか１記載の制御方法。
【請求項６】
螺旋軌道（スパイラルトラジェクトリー）を周波数空間内で外側から内側に形成する請求項５記載の制御方法。
【請求項７】
スタートパルス（Ｐ）の各々第１のパルス部分（Ｐ１）を、時間的に、前記スタートパルス（Ｐ）の各々第２のパルス部分（Ｐ２）の前にする請求項１から６迄の何れか１記載の制御方法。
【請求項８】
不均一性の最大許容値（Ｉ＊）を制御装置（７）に設定する請求項１から７迄の何れか１記載の制御方法。
【請求項９】
不均一性の最大許容値（Ｉ＊）を５％より大きくする請求項１から８迄の何れか１記載の制御方法。
【請求項１０】
第２の不均一値（Ｉ１）を０．５％の下側にする請求項１から９迄の何れか１記載の制御方法。
【請求項１１】
不均一性の最大許容値（Ｉ＊）と第２の不均一値（Ｉ１）との比を１０：１とする請求項１から１０迄の何れか１記載の制御方法。
【請求項１２】
磁気共鳴装置の送信アレイ（４）のコイル（６）及びグラジエントマグネットシステム（３）を制御するために、
磁気共鳴装置の制御装置（７）のコンピュータに、
送信アレイ（４）のコイル（６）及びグラジエントマグネットシステム（３）を、各々の励起コイル（Ｐ’）に応じて制御するステップと、
前記送信アレイ（４）の前記コイル（６）及びグラジエントマグネットシステム（３）の制御に基づいて、各々の前記励起パルス（Ｐ’）に応じて、前記磁気共鳴装置の励起容積部（２）内に、不均一性の第１の実際値（Ｉ２）を有する磁場を形成するステップと、
各々の前記励起パルス（Ｐ’）を、各々のスタートパルス（Ｐ）及び前記磁気共鳴装置の前記励起容積部（２）内の不均一性の最大許容値（Ｉ＊）を用いて求めるステップと、
前記各々のスタートパルス（Ｐ）は、全時間期間（Ｔ’）を有しており、前記送信アレイ（４）のコイル（６）及び前記グラジエントマグネットシステム（３）を、各々の前記スタートパルス（Ｐ）に応じて制御し、前記磁気共鳴装置の前記励起容積部（２）内に、前記不均一性の最大許容値（Ｉ＊）よりも小さな不均一性の第２の実際値（Ｉ１）を有する磁場を形成するステップと、
各々の前記スタートパルス（Ｐ）の中間位置（Ｚ）を求め、前記中間位置（Ｚ）を求めることにより、各々の前記スタートパルス（Ｐ）を、各々の第１のパルス部分（Ｐ１）及び該第１のパルス部分に対して相補的な各々の第２のパルス部分（Ｐ２）に分割するステップと、
各々の前記第１のパルス部分（Ｐ１）を、各々の前記スタートパルス（Ｐ）の各々の低エネルギ部分に対応させ、及び、各々の前記第２のパルス部分（Ｐ２）を、各々の前記スタートパルス（Ｐ）の各々の高エネルギ部分に対応させるステップと、
各々の前記第２のパルス部分（Ｐ２）を、時間的に伸張し、当該伸張に対応して振幅（Ａ）を圧縮するステップと、
各々の時間的に伸張し、且つ、前記振幅（Ａ）を圧縮した前記第２のパルス部分（Ｐ２）を、各々の前記励起パルス（Ｐ’）に対応させるステップと、
前記不均一性の第１の実際値（Ｉ２）が、前記不均一性の最大許容値（Ｉ＊）よりも小さくなるように前記中間位置（Ｚ）を決めるステップと
を実行させる
コンピュータプログラム。
【請求項１３】
磁気共鳴装置の送信アレイ（４）のコイル（６）及びグラジエントマグネットシステム（３）を制御するために、
磁気共鳴装置の制御装置（７）のコンピュータに、
送信アレイ（４）のコイル（６）及びグラジエントマグネットシステム（３）を、各々の励起コイル（Ｐ’）に応じて制御するステップと、
前記送信アレイ（４）の前記コイル（６）及びグラジエントマグネットシステム（３）の制御に基づいて、各々の前記励起パルス（Ｐ’）に応じて、前記磁気共鳴装置の励起容積部（２）内に、不均一性の第１の実際値（Ｉ２）を有する磁場を形成するステップと、
各々の前記励起パルス（Ｐ’）を、各々のスタートパルス（Ｐ）及び前記磁気共鳴装置の前記励起容積部（２）内の不均一性の最大許容値（Ｉ＊）を用いて求めるステップと、
前記各々のスタートパルス（Ｐ）は、全時間期間（Ｔ’）を有しており、前記送信アレイ（４）のコイル（６）及び前記グラジエントマグネットシステム（３）を、各々の前記スタートパルス（Ｐ）に応じて制御し、前記磁気共鳴装置の前記励起容積部（２）内に、前記不均一性の最大許容値（Ｉ＊）よりも小さな不均一性の第２の実際値（Ｉ１）を有する磁場を形成するステップと、
各々の前記スタートパルス（Ｐ）の中間位置（Ｚ）を求め、前記中間位置（Ｚ）を求めることにより、各々の前記スタートパルス（Ｐ）を、各々の第１のパルス部分（Ｐ１）及び該第１のパルス部分に対して相補的な各々の第２のパルス部分（Ｐ２）に分割するステップと、
各々の前記第１のパルス部分（Ｐ１）を、各々の前記スタートパルス（Ｐ）の各々の低エネルギ部分に対応させ、及び、各々の前記第２のパルス部分（Ｐ２）を、各々の前記スタートパルス（Ｐ）の各々の高エネルギ部分に対応させるステップと、
各々の前記第２のパルス部分（Ｐ２）を、時間的に伸張し、当該伸張に対応して振幅（Ａ）を圧縮するステップと、
各々の時間的に伸張し、且つ、前記振幅（Ａ）を圧縮した前記第２のパルス部分（Ｐ２）を、各々の前記励起パルス（Ｐ’）に対応させるステップと、
前記不均一性の第１の実際値（Ｉ２）が、前記不均一性の最大許容値（Ｉ＊）よりも小さくなるように前記中間位置（Ｚ）を決めるステップと
を実行させる
コンピュータプログラムを記憶したデータ担体。
【請求項１４】
制御装置は、自身のコンピュータに、
送信アレイ（４）のコイル（６）及びグラジエントマグネットシステム（３）を、各々の励起コイル（Ｐ’）に応じて制御するステップと、
前記送信アレイ（４）の前記コイル（６）及びグラジエントマグネットシステム（３）の制御に基づいて、各々の前記励起パルス（Ｐ’）に応じて、前記磁気共鳴装置の励起容積部（２）内に、不均一性の第１の実際値（Ｉ２）を有する磁場を形成するステップと、
各々の前記励起パルス（Ｐ’）を、各々のスタートパルス（Ｐ）及び前記磁気共鳴装置の前記励起容積部（２）内の不均一性の最大許容値（Ｉ＊）を用いて求めるステップと、
前記各々のスタートパルス（Ｐ）は、全時間期間（Ｔ’）を有しており、前記送信アレイ（４）のコイル（６）及び前記グラジエントマグネットシステム（３）を、各々の前記スタートパルス（Ｐ）に応じて制御し、前記磁気共鳴装置の前記励起容積部（２）内に、前記不均一性の最大許容値（Ｉ＊）よりも小さな不均一性の第２の実際値（Ｉ１）を有する磁場を形成するステップと、
各々の前記スタートパルス（Ｐ）の中間位置（Ｚ）を求め、前記中間位置（Ｚ）を求めることにより、各々の前記スタートパルス（Ｐ）を、各々の第１のパルス部分（Ｐ１）及び該第１のパルス部分に対して相補的な各々の第２のパルス部分（Ｐ２）に分割するステップと、
各々の前記第１のパルス部分（Ｐ１）を、各々の前記スタートパルス（Ｐ）の各々の低エネルギ部分に対応させ、及び、各々の前記第２のパルス部分（Ｐ２）を、各々の前記スタートパルス（Ｐ）の各々の高エネルギ部分に対応させるステップと、
各々の前記第２のパルス部分（Ｐ２）を、時間的に伸張し、当該伸張に対応して振幅（Ａ）を圧縮するステップと、
各々の時間的に伸張し、且つ、前記振幅（Ａ）を圧縮した前記第２のパルス部分（Ｐ２）を、各々の前記励起パルス（Ｐ’）に対応させるステップと、
前記不均一性の第１の実際値（Ｉ２）が、前記不均一性の最大許容値（Ｉ＊）よりも小さくなるように前記中間位置（Ｚ）を決めるステップと
を実行させる
コンピュータプログラム（９）を記憶したメモリ装置（８）を有しており、
前記制御装置の作動中、前記コンピュータプログラム（９）は、前記メモリ装置（８）から読出可能であり、前記制御装置によって実行可能である
ことを特徴とする磁気共鳴装置の制御装置。
【請求項１５】
磁気共鳴装置において、
磁気共鳴装置は、基底マグネット（１）、グラジエントマグネットシステム（３）、多数の送信コイル（６）を備えた送信アレイ（４）及び制御装置（７）を有しており、
前記制御装置（７）は、自身のコンピュータに、
前記送信アレイ（４）の前記送信コイル（６）及び前記グラジエントマグネットシステム（３）を、各々の励起コイル（Ｐ’）に応じて制御するステップと、
前記送信アレイ（４）の前記コイル（６）及びグラジエントマグネットシステム（３）の制御に基づいて、各々の前記励起パルス（Ｐ’）に応じて、前記磁気共鳴装置の励起容積部（２）内に、不均一性の第１の実際値（Ｉ２）を有する磁場を形成するステップと、
各々の前記励起パルス（Ｐ’）を、各々のスタートパルス（Ｐ）及び前記磁気共鳴装置の前記励起容積部（２）内の不均一性の最大許容値（Ｉ＊）を用いて求めるステップと、
前記各々のスタートパルス（Ｐ）は、全時間期間（Ｔ’）を有しており、前記送信アレイ（４）のコイル（６）及び前記グラジエントマグネットシステム（３）を、各々の前記スタートパルス（Ｐ）に応じて制御し、前記磁気共鳴装置の前記励起容積部（２）内に、前記不均一性の最大許容値（Ｉ＊）よりも小さな不均一性の第２の実際値（Ｉ１）を有する磁場を形成するステップと、
各々の前記スタートパルス（Ｐ）の中間位置（Ｚ）を求め、前記中間位置（Ｚ）を求めることにより、各々の前記スタートパルス（Ｐ）を、各々の第１のパルス部分（Ｐ１）及び該第１のパルス部分に対して相補的な各々の第２のパルス部分（Ｐ２）に分割するステップと、
各々の前記第１のパルス部分（Ｐ１）を、各々の前記スタートパルス（Ｐ）の各々の低エネルギ部分に対応させ、及び、各々の前記第２のパルス部分（Ｐ２）を、各々の前記スタートパルス（Ｐ）の各々の高エネルギ部分に対応させるステップと、
各々の前記第２のパルス部分（Ｐ２）を、時間的に伸張し、当該伸張に対応して振幅（Ａ）を圧縮するステップと、
各々の時間的に伸張し、且つ、前記振幅（Ａ）を圧縮した前記第２のパルス部分（Ｐ２）を、各々の前記励起パルス（Ｐ’）に対応させるステップと、
前記不均一性の第１の実際値（Ｉ２）が、前記不均一性の最大許容値（Ｉ＊）よりも小さくなるように前記中間位置（Ｚ）を決めるステップと
を実行させる
コンピュータプログラム（９）を記憶したメモリ装置（８）を有しており、
前記制御装置の作動中、前記コンピュータプログラム（９）は、前記メモリ装置（８）から読出可能であり、前記制御装置によって実行可能である
ことを特徴とする磁気共鳴装置。